(57)【特許請求の範囲】
【請求項１】
磁気カード挿入・排出用の開口が形成された装置ケースと、前記開口の内部に配置された磁気カードリーダとを有し、前記磁気カードリーダは、磁気カードの挿入・排出用のカードスロットと、このカードスロットから挿入された磁気カードを内部に取り込むと共に前記カードスロットを介して外部に排出するカード搬送手段と、内部に取り込まれた磁気カードからデータの再生を行う磁気ヘッドとを備えている磁気カード取引装置において、
前記装置ケースの外面における前記カードスロット近傍に磁気カードの記録情報を不正に読み取るための異物が取り付けられていることを検出する異物検出手段を有し、
前記異物検出手段による検出領域は、磁気カードの磁気ストライプの通過経路に対峙した領域であることを特徴とする磁気カード取引装置。
【請求項２】
請求項１において、
前記異物検出手段は、フォトセンサ、マイクロ波センサ、金属検知センサ、メカニカルセンサのうちの少なくとも一つであることを特徴とする磁気カード取引装置。
【請求項３】
請求項１または２において、
前記異物検出手段により異物が検出されたときには、前記カード搬送手段による磁気カードの搬送を停止させる駆動制御手段を有していることを特徴とする磁気カード取引装置。
【請求項４】
請求項１ないし３のうちのいずれかの項において、
前記異物検出手段により異物が検出されたときに、その旨を報知する報知手段を有していることを特徴とする磁気カード取引装置。
【請求項５】
請求項１ないし４のうちのいずれかの項において、
前記カードスロットを介して挿入される磁気カードを導く導入路を開閉可能なシャッターと、このシャッターを開閉制御する駆動制御手段とを有し、前記異物検出手段により異物が検出されたときには、前記駆動制御手段は前記シャッターにより前記導入路を閉じて、磁気カードの挿入を阻止することを特徴とする磁気カード取引装置。
【請求項６】
請求項１ないし５のうちのいずれかの項において、
前記異物検出手段は、前記装置ケースにおける前記開口の近傍あるいは前記磁気カードリーダの側に取付けられていることを特徴とする磁気カード取引装置。
【請求項７】
請求項１において、
前記異物検出手段による異物検出は、磁気カードが挿入されるカード挿入待機状態、または、カード挿入検知時に行われることを特徴とする磁気カード取引装置。
【請求項８】
請求項１ないし７のうちのいずれかの項に記載された異物検出手段を有する磁気カードリーダ。
【発明の詳細な説明】
【０００１】
【発明の属する技術分野】
本発明は、磁気カードリーダを備えた磁気カード取引装置に関し、更に詳しくは、磁気カードの不正読み取りを未然に防止するための機能を備えた磁気カード取引装置に関するものである。
【０００２】
【従来の技術】
磁気カードリーダは、銀行に設置されているＡＴＭ等のような磁気カードを用いて各種の取引を行う磁気カード取引装置に取り付けられている。磁気カードリーダにおけるカード挿入・排出部分は、一般に、磁気カード挿入および排出用のカードスロットと、ここから挿入される磁気カードを検出するためのカード挿入検出器と、カードスロットから挿入される磁気カードを内部に導くカード導入路と、このカード導入路を開閉するシャッターとが、カード挿入方向に向けてこの順序で配置された構成となっている。
【０００３】
利用者が磁気カードをカードスロットに挿入すると、挿入された磁気カードの先端側の磁気ストライプがカード挿入検出器によって検出され、シャッターが開き、磁気カードを内部に取込み可能になる。シャッターの内部側には、磁気カードの搬送手段を構成しているカード取込み排出ローラ対が配置されており、挿入された磁気カードはこのカード取込みローラ対にくわえ込まれて、内部に取り込まれる。
【０００４】
ここで、磁気カードが挿入された際に、磁気カードの引っ掛かり感等の違和感を利用者に与えないように、カード挿入検出器によって磁気カードの挿入が検出されると同時に、シャッターを開くと共にカード取込みローラ対を直ちに駆動して、利用者による磁気カードの挿入操作にスムーズに連続した磁気カードの取込み動作を実現している。
【０００５】
一方、磁気カード排出時には、利用者が磁気カードをカードスロットから取り出しやすくするために、排出完了時のカードスロットからのカード突出量を可能な限り大きくする努力がなされている。
【０００６】
【発明が解決しようとする課題】
このように、磁気カードリーダでは、磁気カードの挿入時には、その先端をカードスロットに挿入すると同時に、磁気カードがカード取込みローラ対によって一定の速度で搬送される。同様に、磁気カードの排出時にも、磁気カードがカードスロットから実質的に外部に排出されるまでカード取込みローラ対によって一定の速度で搬送される。
【０００７】
従って、カードスロットの外側、すなわち、磁気カードリーダが内蔵されている磁気カード取引装置のフロントパネル等に形成されたカード挿入・排出用の開口近傍の外面に磁気ヘッドを取り付けた場合には、当該磁気ヘッドに沿って、一定の速度で磁気カードが移動し、磁気カードの記録情報が読み取られることになる。
【０００８】
本発明の課題は、この点に鑑みて、カードスロットに挿入あるいはそこから排出される磁気カードが、カードスロットの外側に配置された磁気ヘッドによって読み取られてしまうことを未然に防止可能な磁気カード取引装置および磁気カードリーダを提案することにある。
【０００９】
【課題を解決するための手段】
上記の課題を解決するために、本発明は、磁気カード挿入・排出用の開口が形成された装置ケースと、前記開口の内部に配置された磁気カードリーダとを有し、前記磁気カードリーダは、磁気カードの挿入・排出用のカードスロットと、このカードスロットから挿入された磁気カードを内部に取り込むと共に前記カードスロットを介して外部に排出するカード搬送手段と、内部に取り込まれた磁気カードからデータの再生を行う磁気ヘッドとを備えている磁気カード取引装置において、前記装置ケースの外面における前記カードスロット近傍に磁気カードの記録情報を不正に読み取るための異物が取り付けられていることを検出する異物検出手段を有し、前記異物検出手段による検出領域は、磁気カードの磁気ストライプの通過経路に対峙した領域であることを特徴とする。
【００１０】
この異物検出手段としては、フォトセンサ、マイクロ波センサ、金属検知センサ、メカニカルセンサのうちの少なくとも一つを用いることができる。
【００１２】
本発明の磁気カード取引装置では、異物検出手段によって、装置ケースの外面に不正に取り付けられた磁気検出ヘッドを検出できる。よって、当該異物検出手段の出力に基づき、このような不正な磁気検出ヘッドにより、挿入あるいは排出される磁気カードが不正に読み取られてしまうことを未然に防止できる。
【００１３】
磁気カードの不正読み取りを未然に防止するためには、前記異物検出手段により異物が検出されたときには、前記カード搬送手段による磁気カードの搬送を停止させる駆動制御手段を有する構成を採用すればよい。
【００１４】
また、前記異物検出手段により異物が検出されたときに、その旨を報知する報知手段を有する構成を採用すればよい。
【００１５】
あるいは、前記カードスロットを介して挿入される磁気カードを導く導入路を開閉可能なシャッターと、このシャッターを開閉制御する駆動制御手段とを有し、前記異物検出手段により異物が検出されたときには、前記駆動制御手段は前記シャッターにより前記導入路を閉じて、磁気カードの挿入を阻止するようにしてもよい。
【００１６】
前記異物検出手段は、前記装置ケースにおける前記開口の近傍あるいは前記磁気カードリーダの側に取付けることができる。また、異物検出は、例えば、磁気カードが挿入されるカード挿入待機状態で、または、カード挿入検知時に行うことができる。
【００１７】
一方、本発明は上記構成の異物検出手段を備えた磁気カードリーダを特徴とするものでもある。
【００１８】
【発明の実施の形態】
以下に、図面を参照して、本発明を適用した磁気カード取引装置の一実施例を説明する。
【００１９】
図１は、ＡＴＭ等の磁気カード取引装置に取り付けられている磁気カードリーダの主要部分を示す概略構成図である。本例の磁気カード取引装置２は、装置ケースの一部であるフロントパネル３に開けたカードスロット用開口４と、この開口４が形成されたフロントパネル３の裏面側に取付け固定された磁気カードリーダ１とを有している。
【００２０】
本例の磁気カードリーダ１は、磁気カード挿入および排出用のカードスロット５と、ここから挿入される磁気カード６を検出するためのカード挿入検出用の磁気ヘッド７と、カードスロット５から挿入される磁気カード６を内部に導く導入路８と、この導入路８を開閉するシャッター９とを有し、これらが、カード挿入方向に沿ってこの順序で配置されている。
【００２１】
シャッター９の奥には、カード取込み排出ローラ対１１が配置され、このローラ対１１によって内部に取り込まれた磁気カード６は、所定の間隔で配置されている複数組の搬送ローラ対１２、１３によって規定される搬送経路に沿って搬送される。各ローラ対１１〜１３は、駆動モータ１４によって回転駆動される。ローラ対１２の配置位置には、ここを通過する磁気カード６に形成されている磁気ストライプに対して磁気的にデータを記録・再生するための磁気ヘッド１５が配置されている。
【００２２】
次に、１６は各部の駆動制御を司る駆動制御回路であり、マイクロコンピュータにより構成することができ、そのＲＯＭ内に格納されている制御プログラムに従って、磁気カード６の搬送動作、磁気ヘッド１５による読み取り動作を制御する。また、１７、１８はそれぞれフォトセンサであり、後述のように、排出される磁気カード６の後端を検出するためのものである。
【００２３】
ここで、本例の磁気カード取引装置２は、フロントパネル３の裏面側における開口４の近傍位置に配置された異物検出用の反射型フォトセンサ７０を備えている。この反射型フォトセンサ７０による光送受用の透光孔７１がフロントパネル３に形成されている。また、異物が検出された時に警報を発生するスピーカ７３が配置されており、このスピーカ７３は駆動制御回路１６によってドライバ７４を介して駆動制御される。さらに、異物が検出された時には、その旨を報知するための警報信号Ｓが上位装置等に送信されるようになっている。
【００２４】
図２に示すように、本例では、磁気カード６はその磁気ストライプ６ｂの形成面６ａが下向きの状態で挿入・排出されるように構成されている。従って、反射型フォトセンサ７０は、当該磁気ストライプの通過経路の直下部分（幅Ｌの部分）を検出領域としている。
【００２５】
本例の磁気カード取引装置２においては、例えば、図３において想像線で示すように、カードスロット用開口４が形成されているフロントパネル３の表面３ａに不正に磁気ヘッド２０が取り付けられると、当該磁気ヘッド２０が、反射型フォトセンサ７０によって検出され、当該磁気ヘッド２０による磁気カード読み取り動作が以下に述べるように阻止される。
【００２６】
次に、図４、５のフローチャートおよび図６の動作説明図を参照して、本例の磁気カードリーダ１における磁気カード取込みおよび磁気カード排出動作、ならびに不正読み取り防止動作を説明する。
【００２７】
まず、図４のフローチャートに沿って磁気カード６の取込み動作を説明する。利用者が磁気カード６をカードスロット５に挿入すると、挿入された磁気カード６に形成されている磁気ストライプ６ｂがカード挿入検出用の磁気ヘッド７によって検出される（ステップＳＴ１）。次に、異物検出用反射型フォトセンサ７０による異物検出が行われ（ステップＳＴ２）、異物が検出されない場合には、正常動作が行われる。
【００２８】
すなわち、この磁気ヘッド７による検出信号により、駆動制御回路１６は、モータ１４を起動して、取込みローラ対１１を含む搬送系を駆動し、同時に、シャッター９を開く（ステップＳＴ３）。この結果、磁気カード６を内部に取込み可能になる。磁気カード６がシャッタ位置を超えて奥まで挿入されると、その先端が取込みローラ対１１にくわえ込まれて、磁気カード６の取込み動作が開始する。次に、磁気カード６を読み取り用の磁気ヘッド１５の位置まで取り込んだ後は（ステップＳＴ４）、磁気ヘッド１５により、磁気カード６の読み取り動作あるいは書き込み動作を行う（ステップＳＴ５）。
【００２９】
しかるに、異物が検出された場合には、ステップＳＴ２からステップＳＴ６に移行して、異物が検出された旨の警報を発生する。すなわち、シャッター９を閉じたままで、スピーカ７２を介して、磁気カード取引装置１が使用不可である旨のメッセージを発生するとともに、上位装置に対して警報信号を送信する。この警報信号により、装置管理者は当該装置１を点検することができる。警報発生後は、装置１の駆動を停止させが、シャッターは閉じたままなので、利用者が誤って磁気カードを挿入してしまうことがない。
【００３０】
このように、本例の磁気カードの取込み動作においては、異物が検出されると、磁気カード６の挿入を行わないようにしている。この結果、例えば、図３において想像線で示すように、カードスロット５の外側位置、例えば、フロントパネル３の表面に磁気ヘッド２０が取り付けられていても、当該磁気ヘッド２０によって挿入される磁気カードが読み取られてしまうことを未然に防止できる。
【００３１】
次に、図５のフローチャートを参照して、本例の磁気カードリーダ１における磁気カードの排出動作について説明する。この場合、ローラ対１１〜１３によって磁気カード６の排出動作を開始し、排出される磁気カード６の排出方向の後端が例えばフォトセンサ１７によって検出されると（ステップＳＴ１１）、反射型フォトセンサ７０により異物検出を行なう。
【００３２】
すなわち、図６に示すように、フォトセンサ１７によって磁気カード６の後端が検出される状態は、磁気カード６の排出方向の先端側がカードスロット５から所定の量だけ突き出た状態である。この状態で異物の検出を行う。異物が検出されない場合には正常な磁気カード排出動作を継続する（ステップＳＴ１３）。フォトセンサ１７よりもカードスロット側に配置されているフォトセンサ１８によって排出される磁気カード６の後端が検出されると（ステップＳＴ１４）、モータ１４を停止して、カード排出動作を終了する（ステップＳＴ１５）。
【００３３】
カード排出動作が終了した時点では、磁気カード６の後端が取込みローラ対１１にくわえ込まれた状態にあり、利用者が軽く磁気カード６を引っ張ることにより、カードスロット５から磁気カード６を取り出すことができる。なお、利用者が磁気カード６を取り出すことを忘れた場合には、所定の時間経過後に、取込みローラ対１１を駆動して、磁気カード６を内部に回収できるようになっている。
【００３４】
これに対して、異物が検出された場合には、ステップＳＴ１２からステップＳＴ１６に移行して、異物が検出された旨の警報を発生する。本例では、スピーカ７２を介して、磁気カード取引装置１が使用不可である旨のメッセージを発生するとともに、上位装置に対して警報信号を送信する。この警報信号により、装置管理者は当該装置２を点検することになる。警報発生後は、装置２の駆動を停止させる。
【００３５】
このように、本例の磁気カード取引装置２では、磁気カードの排出時においても、その排出側の先端部分がカードスロット５から外部に突き出た状態で、異物検出を行い、異物が検出されると磁気カードの排出動作を強制的に停止させるようにしている。従って、フロントパネル表面に不正に磁気ヘッドが取り付けられていたとしても、この磁気ヘッドによって排出される磁気カード５の磁気記録情報が読み取られてしまうことを未然に阻止できる。
【００３６】
なお、上記実施例では、カード挿入を検知したときに、異物検出を行うようにしているが、カード挿入を検知するカード挿入待機状態の時に定期的に異物検出を行うようにし、異物検出をしたときには、装置を休止、停止させるようにすれば、未然防止の観点で好ましい。
【００３７】
また、異物検出用のセンサとしては、フォトセンサの代わりに、マイクロ波センサ、金属検知センサ、マイクロスイッチ等のメカニカルセンサを用いることができる。さらに、異なる種類のセンサを複数個配置してもよい。
【００３８】
ここで、マイクロ波センサを用いた場合は、利用者の身体の動きにも反応する為、カードの挿入なく一定時間（例えば５分間）反応が継続した場合に装置を休止するように設定することもよい。
【００３９】
また、異物検出用のセンサは、磁気カード取引装置２の側に固定してもよいし、磁気カードリーダ１のフレームに直接に固定することもできる。
【００４０】
さらに、磁気ストライプが磁気カードの両面に形成されている場合には、各磁気ストライプの通過経路に対峙した領域を検出可能な２個のセンサを配置すればよい。
【００４１】
【発明の効果】
以上説明したように、本発明の磁気カード取引装置は、異物検出手段を備えているので、カードスロットの外側に不正に配置された磁気ヘッドによる磁気カードの読み取りを未然に阻止できる。
【図面の簡単な説明】
【図１】本発明を適用した磁気カード取引装置の主要部分を示す概略構成図である。
【図２】図１のカード挿入・排出用の開口、カードスロットの部分を示す部分斜視図である。
【図３】図１の装置のフロントパネルの外面に不正に磁気ヘッドが取り付けられた状態を示す説明図である。
【図４】図１の装置における磁気カードの取込み動作を示すフローチャートである。
【図５】図１の装置における磁気カードの排出動作を示すフローチャートである。
【図６】図１の装置における磁気カードの排出時の動作を示すための説明図である。
【符号の説明】
１    磁気カードリーダ
２    磁気カード取引装置
３    フロントパネル
３ａ  フロントパネル外面
４    開口
５    カードスロット
６    磁気カード
７    カード挿入検出用の磁気ヘッド
８    カード導入路
９    シャッター
１１  取込みローラ対
１２、１３  搬送ローラ対
１４  モータ
１５  磁気ヘッド
１６  駆動制御回路
１７、１８  フォトセンサ
２０  不正に取り付けられた磁気ヘッド
７０  異物検出用のフォトセンサ
７１  透光孔
７２  警報用スピーカ
【図１】
0003850595.tif 000002
【図２】
0003850595.tif 000003
【図３】
0003850595.tif 000004
【図４】
0003850595.tif 000005
【図５】
0003850595.tif 000006
【図６】
0003850595.tif 000007